(57)【要約】【課題】、透光カバーの組立性を向上でき、組立不良を防止できる照明装置を提供する。【解決手段】照明装置10は、器具本体15、発光モジュール16および透光カバー17を備える。器具本体15は、環状に設けられた基板取付部24、および基板取付部24の外周部に設けられた複数の透光カバー取付部33を有する。発光モジュール16は、基板取付部24に沿って配置される基板38、および基板38に実装された発光素子を有する。基板38の外周部には、複数の透光カバー取付部33にそれぞれ対向する領域に、複数の透光カバー取付部33から離反するように基板38の径方向に対して直交する接線方向に沿って複数の直線部43が設けられている。透光カバー17は、発光モジュール16を覆うとともに器具本体15との間に挟み込むカバー部47、およびカバー部47の外周部に設けられ器具本体15に対する回動により複数の透光カバー取付部33にそれぞれ取り付けられる複数の係止部50を有する。【選択図】図１
2016171034.tif 000002
【特許請求の範囲】
【請求項１】
環状に設けられた基板取付部、およびこの基板取付部の外周部に設けられた複数の透光カバー取付部を有する器具本体と；
前記基板取付部に沿って配置される基板、およびこの基板に実装された発光素子を有し、前記基板の外周部には、前記複数の透光カバー取付部にそれぞれ対向する領域に、前記複数の透光カバー取付部から離反するように前記基板の径方向に対して直交する接線方向に沿って複数の直線部が設けられている発光モジュールと；
前記発光モジュールを覆うとともに前記器具本体との間に挟み込むカバー部、およびこのカバー部の外周部に設けられ前記器具本体に対する回動により前記複数の透光カバー取付部にそれぞれ取り付けられる複数の係止部を有する透光カバーと；
を具備することを特徴とする照明装置。
【請求項２】
前記発光モジュールは、周方向に沿って複数に分割されており、これら複数の発光モジュールの前記基板に電線が電気的に接続されている
ことを特徴とする請求項１記載の照明装置。
【発明の詳細な説明】
【技術分野】
【０００１】
本発明の実施形態は、発光モジュールを用いた照明装置に関する。
【背景技術】
【０００２】
従来、例えばシーリングライト等の照明装置では、器具本体の表面に発光モジュールが環状に配置され、発光モジュールを環状の透光カバーで覆っている。
【０００３】
発光モジュールは、基板に発光素子を実装して構成されている。発光モジュールは複数に分割され、器具本体に配置した際に環状に組み合わされる。
【０００４】
そして、器具本体の発光モジュールを覆うように透光カバーを配置し、透光カバーを回動させて透光カバーの外周部に設けられた複数の係止部を器具本体に係止することにより、透光カバーと器具本体との間で発光モジュールの基板を挟み込み、発光モジュールの基板を器具本体に押し付けている。
【０００５】
このように、係止部を有する透光カバーを用いることで、組立性を良好にできるが、発光モジュールの基板に反りが生じているなどで、基板が器具本体から浮き上がっていると、透光カバーが器具本体から離れ、透光カバーの係止部を器具本体に係止させにくくなり、組立性が低下し、組立不良が生じるおそれがある。
【先行技術文献】
【特許文献】
【０００６】
【特許文献１】特開２０１３−２５１１４１号公報
【発明の概要】
【発明が解決しようとする課題】
【０００７】
本発明が解決しようとする課題は、透光カバーの組立性を向上でき、組立不良を防止できる照明装置を提供することである。
【課題を解決するための手段】
【０００８】
実施形態の照明装置は、器具本体、発光モジュールおよび透光カバーを備える。器具本体は、環状に設けられた基板取付部、および基板取付部の外周部に設けられた複数の透光カバー取付部を有する。発光モジュールは、基板取付部に沿って配置される基板、および基板に実装された発光素子を有する。基板の外周部には、複数の透光カバー取付部にそれぞれ対向する領域に、複数の透光カバー取付部から離反するように基板の径方向に対して直交する接線方向に沿って複数の直線部が設けられている。透光カバーは、発光モジュールを覆うとともに器具本体との間に挟み込むカバー部、およびカバー部の外周部に設けられ器具本体に対する回動により複数の透光カバー取付部にそれぞれ取り付けられる複数の係止部を有する。
【発明の効果】
【０００９】
本発明によれば、透光カバーの組立性を向上させ、組立不良を防止することが期待できる。
【図面の簡単な説明】
【００１０】
【図１】一実施形態を示す照明装置の斜視図である。
【図２】同上照明装置の器具本体に発光モジュールを配置した底面図である。
【図３】同上照明装置の器具本体に透光カバーを取り付けた底面図である。
【図４】同上照明装置の分解状態の斜視図である。
【図５】同上照明装置の上面側の斜視図である。
【発明を実施するための形態】
【００１１】
以下、一実施形態を、図１ないし図５を参照して説明する。
【００１２】
図４および図５に示すように、照明装置10は、天井面に設置されている引掛シーリングボディ11にアダプタ12を介して取り付けられる円形のシーリングライトである。
【００１３】
照明装置10は、器具本体15を備えている。器具本体15の下面側（表面面側）には、発光モジュール16、透光カバー17およびセード18等が取り付けられ、また、器具本体15の上面側（裏面側）には、枠体19および電源カバー20等が取り付けられている。
【００１４】
そして、図１ないし図４に示すように、器具本体15は、金属製で円盤状に形成されている。器具本体15の下面中央域に環状の突出部23が突設され、突出部23の周囲に環状の基板取付部24が形成され、基板取付部24の周囲に環状の凹部25が形成され、凹部25の周囲に環状の外周部26が形成されている。
【００１５】
突出部23の中央には開口部27が形成され、開口部27の内側にアダプタ12に取り付けられる筒状のアダプタガイド28が配置されている。突出部23には窓孔29が形成され、窓孔29の内側には常夜灯30やリモコン番号切換スイッチ31等が配置されている。
【００１６】
基板取付部24は、平面状に形成されている。基板取付部24の外周部には、発光モジュール16の基板を位置決めするための複数の基板位置決め部としての位置決め突起32と透光カバー17を取り付けるための複数の透光カバー取付部33とが周方向に沿って交互でかつ等間隔に設けられている。位置決め突起32は、半球面状に形成されている。透光カバー取付部33は、周方向に長い長孔33aによって形成されている。また、基板取付部24の内周部には、透光カバー17をねじ止めするための複数の取付孔34が形成さている。取付孔34は、透光カバー取付部33と器具本体15の中心との間に配置されている。
【００１７】
凹部25には、セード18を器具本体15に対して回動させて着脱可能に取り付ける複数のセード取付金具35が取り付けられている。
【００１８】
また、発光モジュール16は、基板38、この基板38の表面に実装された複数の発光素子39およびコネクタ40を備えている（なお、発光素子39およびコネクタ40は、図２に図示するが、図１、図３および図４には図示を省略している。）。本実施形態では、発光モジュール16は周方向に２分割され、２つの発光モジュール16を器具本体15に配置することによって環状に組み合わされるように構成されている。
【００１９】
基板38は、例えば金属材料をベースとするかまたは絶縁材料によって半環状に形成されている。基板38の表面に配線パターンが形成され、この配線パターン上に複数の発光素子39およびコネクタ40が実装されている。
【００２０】
基板38の外周部には、複数の位置決め突起32にそれぞれ嵌り込む位置決め受部としての位置決め孔41を有する複数の外縁部42が形成されているとともに、複数の透光カバー取付部33にそれぞれ対向する領域に、複数の透光カバー取付部33から離反するように基板38の径方向に対して直交する接線方向に沿って複数の直線部43が設けられている。直線部43は外縁部42の径位置よりも径方向の内側に位置している。基板38の外周部における直線部43の割合は外縁部42よりも多い関係を有している。そして、基板38の外周部は多角形状に形成され、一方、基板38の内周部は円弧状に形成されている。また、２つの発光モジュール16を器具本体15に配置した際、基板38の端部間が透光カバー取付部33の近傍に位置される。
【００２１】
発光素子39は、例えば面実装タイプのＳＭＤパッケージ式のＬＥＤが用いられている。複数の発光素子39が基板38の表面の同心円上の２列に沿って等間隔に配列されている。なお、発光素子39は、有機ＥＬ等でも構わない。
【００２２】
コネクタ40は、基板38の表面の両端部で配線パターン上に実装されている。
【００２３】
また、透光カバー17は、透明な樹脂製で、中央に開口部46が開口する環状に形成されている。透光カバー17は、基板38を器具本体15との間に挟み込んでその基板38全体を覆うことが可能な大きさに形成された環状で平板状のカバー部47を有している。
【００２４】
カバー部47には、基板38に２列に実装された発光素子39にそれぞれ対向して、２列の環状のレンズ部48が形成されている。さらに、カバー部47には、２列のレンズ部48の間に、基板38に実装されたコネクタ40等に対向して基板38との間に配線空間を形成する配線部49が形成されている。
【００２５】
カバー部47の裏面側の外周部には、器具本体15の複数の透光カバー取付部33にそれぞれ係止される複数の係止部50が一体に突設されている。係止部50は、カバー部47の裏面から突出するとともに周方向の一方である装着回動方向へ向けてさらに突出する断面略Ｌ字形の爪部50aによって構成されている。そして、各爪部50aを器具本体15の各長孔33aに挿入して透光カバー17を装着回動方向に回動させることにより、各爪部50aの先端が器具本体15の裏面側に乗り上げて透光カバー17を器具本体15に向けて引き寄せるとともに、各爪部50aが器具本体15の裏面側に引っ掛かって器具本体15と透光カバー17との間に基板38を挟み込んだ状態で器具本体15と透光カバー17とが固定される。
【００２６】
カバー部47の内周部には、透光カバー17を器具本体15のねじ止めするための複数のねじ挿通孔51が設けられている。ねじ挿通孔51は器具本体15の取付孔34の位置に対応しており、ねじ挿通孔51を挿通したねじが取付孔34に螺着される。各ねじ挿通孔51は、透光カバー取付部33と器具本体15の中心との間に配置されている。そして、透光カバー17の内周部を器具本体15にねじ止めすることにより、透光カバー17の内周部で基板38を器具本体15との間で挟み込んで保持するとともに、透光カバー17が装着回動方向に対して反対の取外し回動方向に回動するのが規制される。
【００２７】
また、セード18は、透光性を有する乳白色の樹脂製で、上面側が開口され、上面側の内周縁部に各セード取付金具35に取り付けられる取付段部が形成されている。器具本体15に取り付けられるセード18により、器具本体15の下面、発光モジュール16および透光カバー17等が覆われる。
【００２８】
また、枠体19は、透光性を有する樹脂製で環状に形成され、内周側縁部が器具本体15の上面側周縁部に取り付けられる。枠体19の下面の１箇所には一対のセンサ用窓孔54が形成されている。
【００２９】
また、図５に示すように、電源カバー20は、金属製で四角形枠状に形成されており、器具本体15の裏面側を覆うように器具本体15に取り付けられている。電源カバー20内には、アダプタガイド28が取り付けられているとともに、電源回路57が配置されている。電源カバー20の上面には、照明装置10を天井面に設置する際に天井面との間で圧縮されて器具本体15の回転を防止したり照明装置10のがたつきを防止する複数のクッション材58が取り付けられている。本実施形態では、３つのクッション材58が用いられ、１つのクッション材58は四角形枠状の電源カバー20の一辺に沿って取り付けられ、残りの２つのクッション材58は電源カバー20の一辺とは反対側の各角部に取り付けられている。
【００３０】
電源回路57は、引掛シーリングボディ11およびアダプタ12を通じて入力される交流電力を所定の直流電力に変換し、変換した直流電力を発光モジュール16の基板38を通じて複数の発光素子39に供給し、複数の発光素子39を点灯させる。電源回路57の直流電力の出力部に一対の電線59が接続され、これら電線59が器具本体15に設けられ配線孔を通じて基板38の表面側に引き出され、一方の電線59の先端に設けられたコネクタ59aが一方の基板38のコネクタ40に接続され、他方の電線59の先端に設けられたコネクタ59aが他方の基板38のコネクタ40に接続される。基板38の他端のコネクタ40同士は、両端にコネクタ60aを設けた別の電線60によって電気的に接続されている。したがって、電源回路57の出力部に複数の発光素子39が設けられた閉回路が接続されている。
【００３１】
さらに、電源回路57は、照度センサ61で照明装置10が設置される照明空間の明るさを検知して発光素子39の出力を自動的に調整する機能を有している。四角形枠状の電源カバー20の一辺にセンサユニット62が配置されるとともに器具本体15の上面に取り付けられている。センサユニット62の先端部が枠体19の上方に配置され、センサユニット62の先端部に照度センサ61が設けられている。センサユニット62に設けられた照度センサ61は、枠体19のセンサ用窓孔54に対向して配置されている。センサユニット62が設けられる電源カバー20の一辺は、１つのクッション材58が取り付けられた電源カバー20の一辺である。なお、電源カバー20は器具本体15の上面に一体的に取り付けられていて器具本体15の一部を構成するものであり、クッション材58は器具本体15の上面に取り付けられていることになる。
【００３２】
次に、照明装置10を組み立てるには、アダプタガイド28および電源回路57等を取り付けた電源カバー20を器具本体15の上面に取り付ける。さらに、枠体19を器具本体15の上面に取り付ける。また、センサユニット62を器具本体15の上面に取り付ける。
【００３３】
器具本体15の基板取付部24が上方に向くように上下を反転させた状態で、各発光モジュール16の基板38の外周部の複数の位置決め孔41を基板取付部24の外周部の複数の位置決め突起32にそれぞれ嵌め込みながら、基板38を基板取付部24上に配置する。これにより、基板38が器具本体15の基板取付部24の面に沿った方向（水平方向）の位置が位置決めされる。さらに、電源回路57からの電線59を基板38に電気的に接続するとともに、電線60で基板38間を電気的に接続する。
【００３４】
発光モジュール16を覆うように透光カバー17を被せながら、透光カバー17の外周部の複数の爪部50aを器具本体15の複数の長孔33aに挿入し、透光カバー17を装着回動方向に回動させることにより、各爪部50aの先端が器具本体15の裏面側に乗り上げて透光カバー17を器具本体15に向けて引き寄せる。これにより、透光カバー17のカバー部47が基板38に当接し、基板38を器具本体15に押圧する。そして、各爪部50aが器具本体15の裏面側に引っ掛かると、器具本体15と透光カバー17との間に基板38を挟持した状態で器具本体15と透光カバー17とが固定される。
【００３５】
このとき、基板38に反りがあったり、基板38に接続された電線59，60の反力が基板38に作用することにより、基板38が器具本体15の基板取付部24から浮き上がっていると、透光カバー17の爪部50aを器具本体15の透光カバー取付部33（長孔33a）に係止させにくいおそれがある。本実施形態では、基板38の外周部には、透光カバー取付部33に対向する領域に、透光カバー取付部33から離反するように基板38の径方向に対して直交する接線方向に沿って複数の直線部43が設けられており、基板38の直線部43が透光カバー取付部33から離反しているため、基板38の浮き上がりの影響が少なく、透光カバー17の爪部50aを器具本体15の透光カバー取付部33（長孔33a）に係止させやすくできる。
【００３６】
複数のねじを透光カバー17の複数のねじ挿通孔51を通じて器具本体15の複数の取付孔34にそれぞれねじ込んで締め付ける。これにより、透光カバー17の内周部においても、器具本体15と透光カバー17との間に基板38を挟持した状態で器具本体15と透光カバー17とが固定される。さらに、透光カバー17のねじ止めにより、透光カバー17が装着回動方向に対して反対の取外し回動方向に回動するのが規制される。
【００３７】
器具本体15の下面を覆うようにセード18を器具本体15に被せ、セード18を装着回動方向に回動させることにより、セード18をセード取付金具35に取り付ける。
【００３８】
なお、照明装置10の組立順序は、このような順序に限られるものではない。
【００３９】
そして、照明装置10を設置するには、天井面の引掛シーリングボディ11にアダプタ12を取り付け、アダプタ12にセード18を外した器具本体15のアダプタガイド28を取り付ける。このとき、クッション材58が器具本体15の電源カバー20と天井面との間で圧縮され、器具本体15の回動やがたつきが押えられる。アダプタ12から導出されている配線を電源回路57と接続し、引掛シーリングボディ11と電源回路57とを電気的に接続する。セード18を器具本体15の下側に被せ、セード18を回動させて器具本体15に取り付ける。
【００４０】
そして、交流電源が電源回路57に供給されることにより、電源回路57が交流電力を直流電力に変換して複数の発光素子39に供給し、複数の発光素子39が点灯する。
【００４１】
複数の発光素子39が発生する光は、透光カバー17のレンズ部48を通じて配光が制御され、セード18を透過して照明空間に照射される。
【００４２】
照度センサ61で照明装置10が設置された照明空間の明るさを検知し、電源回路57が発光素子39の出力を自動的に調整する。
【００４３】
そして、本実施形態によれば、基板38の外周部には、透光カバー取付部33に対向する領域に、透光カバー取付部33から離反するように基板38の径方向に対して直交する接線方向に沿って複数の直線部43が設けられており、基板38の直線部43が透光カバー取付部33から離反しているため、基板38の浮き上がりの影響が少なく、透光カバー17の係止部50（爪部50a）を器具本体15の透光カバー取付部33（長孔33a）に係止させやすくなり、透光カバー17の組立性を向上させることができるとともに、透光カバー17の組立不良を防止できる。
【００４４】
また、透光カバー取付部33を外径側に移動させて透光カバー取付部33と基板38とを離す場合には照明装置10が大形化してしまうが、基板38を内径側に移動させて透光カバー取付部33と基板38とを離すことによって照明装置10が大形化するのを防止できる。
【００４５】
しかも、基板38の外周部に直線部43が設けられることにより、１枚の基板素材から複数の基板38を切り出す場合に、１枚の基板素材から切り出すことが可能となる基板38の数を増加させることができ、材料取りが向上し、製造コストを低減することができる。
【００４６】
また、器具本体15に照度センサ61を備えたセンサユニット62を取り付けるため、器具本体15のセンサユニット62を取り付けた側が重く、照明装置10の傾きが生じやすい。
器具本体15の上面に３つのクッション材58が配置されるが、１つのクッション材58はセンサユニット62を配置する電源カバー20の一辺に沿って取り付け、残りの２つのクッション材58は電源カバー20の一辺とは反対側の各角部に取り付けている。これにより、センサユニット62側にある１つのクッション材58によってセンサユニット62の水平姿勢を保ちやすく、センサユニット62とは反対側にある２つのクッション材58による天井面に対する反力が強く働いてバランスが取れ、照明装置10の姿勢を安定させることができる。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
10    照明装置
15    器具本体
16    発光モジュール
17    透光カバー
24    基板取付部
33    透光カバー取付部
38    基板
39    発光素子
43    直線部
47    カバー部
50    係止部
59，60    電線
【図１】
2016171034.tif 000003
【図２】
2016171034.tif 000004
【図３】
2016171034.tif 000005
【図４】
2016171034.tif 000006
【図５】
2016171034.tif 000007